(57)【要約】【課題】カメラ用遮光羽根駆動装置において、絞り羽根の衝突音を防止する。【解決手段】露光用の開口部１０ａを有する基板１０、基板１０に回動自在に支持され開口部１０ａに臨んで通過する光の一部を遮光し得る絞り羽根３０、絞り羽根３０を駆動する電磁駆動源４０、絞り羽根３０を絞り位置と非絞り位置に停止させる絞りストッパ１２及び非絞りストッパ１３とを備え、絞りストッパ１２及び非絞りストッパ１３を緩衝部材により形成する。これにより、絞り羽根３０がストッパに当接する際の衝撃力が緩和され、衝突音等が防止される。【選択図】　図３
2004061897.tif 000002
【特許請求の範囲】
【請求項１】
露光用の開口部を有する基板と、前記基板上の支軸回りに回動自在に支持され前記開口部に臨んで通過する光の一部を又は全てを遮光し得る遮光羽根と、前記遮光羽根を駆動する電磁駆動源と、前記遮光羽根を所定の位置に停止させるべく前記遮光羽根に当接し得る羽根ストッパと、を備え、
前記羽根ストッパは、緩衝部材により形成されている、
ことを特徴とするカメラ用遮光羽根駆動装置。
【請求項２】
露光用の開口部を有する基板と、前記基板上の支軸回りに回動自在に支持され前記開口部に臨んで通過する光の一部を又は全てを遮光し得る遮光羽根と、前記遮光羽根を駆動する電磁駆動源と、前記遮光羽根を所定の位置に停止させるべく前記遮光羽根に当接し得る羽根ストッパと、を備え、
前記羽根ストッパは、前記遮光羽根の移動面に対して所定の角度をなす傾斜部及び前記傾斜部に続く垂直部を有する、
ことを特徴とするカメラ用遮光羽根駆動装置。
【請求項３】
前記遮光羽根は、前記開口部を所定の口径に絞る絞り羽根であり、
前記羽根ストッパは、前記開口部に望む絞り位置に前記絞り羽根を停止させる絞りストッパと、前記開口部から待避した非絞り位置に前記絞り羽根を停止させる非絞りストッパと、を含む、
ことを特徴とする請求項１又は２に記載のカメラ用遮光羽根駆動装置。
【請求項４】
前記遮光羽根は、前記開口部を開閉するシャッタ羽根であり、
前記羽根ストッパは、前記開口部を全閉する位置に前記シャッタ羽根を停止させる全閉ストッパと、前記開口部を全開する位置に前記シャッタ羽根を停止させる全開ストッパと、を含む、
ことを特徴とする請求項１又は２に記載のカメラ用遮光羽根駆動装置。
【請求項５】
前記遮光羽根は、前記開口部を所定の口径に絞る絞り羽根と、前記開口部を開閉するシャッタ羽根とを含み、
前記羽根ストッパは、前記開口部に望む絞り位置に前記絞り羽根を停止させる絞りストッパと、前記開口部から待避した非絞り位置に前記絞り羽根を停止させる非絞りストッパと、前記開口部を全閉する位置に前記シャッタ羽根を停止させる全閉ストッパと、前記開口部を全開する位置に前記シャッタ羽根を停止させる全開ストッパと、を含む、
ことを特徴とする請求項１又は２に記載のカメラ用遮光羽根駆動装置。
【請求項６】
露光用の開口部を有する基板と、前記基板上の支軸回りに回動自在に支持され前記開口部に臨んで通過する光の一部を又は全てを遮光し得る遮光羽根と、前記遮光羽根を駆動する駆動ピンを有する電磁駆動源と、前記遮光羽根を所定の位置に停止させるべく前記駆動ピンに当接し得るピンストッパと、を備え、
前記ピンストッパは、緩衝部材により形成されている、
ことを特徴とするカメラ用遮光羽根駆動装置。
【請求項７】
前記遮光羽根は、前記開口部を所定の口径に絞る絞り羽根と、前記開口部を開閉するシャッタ羽根と、を含み、
前記電磁駆動源は、前記絞り羽根を駆動する駆動ピンを有する第１の電磁駆動源と、前記シャッタ羽根を駆動する駆動ピンを有する第２の電磁駆動源と、を含む、
ことを特徴とする請求項６記載のカメラ用遮光羽根駆動装置。
【請求項８】
前記電磁駆動源への通電を制御する制御手段を有し、
前記制御手段は、前記遮光羽根が停止する直前に、前記電磁駆動源に対して前記遮光羽根を走行させる方向とは逆の向きに通電を行なう、
ことを特徴とする請求項１ないし７いずれかに記載のカメラ用遮光羽根駆動装置。
【請求項９】
前記電磁駆動源への通電を制御する制御手段を有し、
前記制御手段は、前記遮光羽根が停止する位置に向かうに連れて、電圧を徐々に低下させる、
ことを特徴とする請求項１ないし７いずれかに記載のカメラ用遮光羽根駆動装置。
【発明の詳細な説明】
【０００１】
【発明の属する技術分野】
本発明は、カメラ等に搭載されて露光用の開口部を通過する光の一部又は全てを遮光し得るカメラ用遮光羽根駆動装置に関し、特に、開口部を絞る絞り羽根及び／又は開口部を開閉するシャッタ羽根を備え、デジタルカメラ等に搭載されるカメラ用遮光羽根駆動装置に関する。
【０００２】
【従来の技術】
デジタルカメラ等に搭載される従来のカメラ用遮光羽根駆動装置としては、露光用の開口部を開閉するように地板に対して回動自在に設けられたシャッタ羽根、開口部を所定の口径に絞るように地板に対して回動自在に設けられた絞り羽根、シャッタ羽根及び絞り羽根をそれぞれ駆動する電磁アクチュエータ、全閉位置及び全開位置にてシャッタ羽根をそれぞれ停止させる全閉ストッパ及び全開ストッパ、絞り位置及び非絞り位置にて絞り羽根を停止させる絞りストッパ及び非絞りストッパ等を備えたものが知られている。
【０００３】
【発明が解決しようとする課題】
ところで、上記従来の装置においては、全閉ストッパ及び全開ストッパ並びに絞りストッパ及び非絞りストッパが、地板と一体的に形成された硬いプラスチック材料からなるため、電磁アクチュエータによりシャッタ羽根又は絞り羽根が移動させられて停止する際に、衝突音が発生する。
特に、この装置がデジタルカメラに搭載された場合、撮影待機状態において、撮影環境の照度変化に応じて絞り羽根が自動的に絞りあるいは非絞り動作を行なうと、撮影待機の状態であるが故に衝突音が耳障りとなり、又、録音機能がある場合はこの衝突音がノイズとして録音されてしまう。
また、絞り羽根又はシャッタ羽根とストッパとの衝突力が大きいと、衝突音だけでなく、絞り羽根又はシャッタ羽根がバウンド現象を生じて、光量の調整が迅速に行なわれず、又、再露光あるいは再閉等を引き起こし好ましくない。
【０００４】
本発明は、上記の点に鑑みて成されたものであり、その目的とするところは、構造の簡略化、低コスト化等を図りつつ、絞り羽根又はシャッタ羽根の衝突音、バウンド現象等を抑制ないしは防止でき、バラツキのない安定した遮光動作が得られるカメラ用遮光羽根駆動装置を提供することにある。
【０００５】
【課題を解決するための手段】
本発明のカメラ用遮光羽根駆動装置は、露光用の開口部を有する基板と、基板上の支軸回りに回動自在に支持され開口部に臨んで通過する光の一部を又は全てを遮光し得る遮光羽根と、遮光羽根を駆動する電磁駆動源と、遮光羽根を所定の位置に停止させるべく遮光羽根に当接し得る羽根ストッパとを備え、上記羽根ストッパは、緩衝部材により形成されている、ことを特徴としている。
この構成によれば、遮光羽根が電磁駆動源により駆動され羽根ストッパに当接して所定の位置に停止する際に、遮光羽根は、羽根ストッパとしての緩衝部材（例えば、緩衝ゴム、その他の粘弾性体等）に当接する。これにより、衝撃力が緩和されて、衝突音が防止され、又、バウンド現象も防止される。
【０００６】
また、本発明のカメラ用遮光羽根駆動装置は、露光用の開口部を有する基板と、基板上の支軸回りに回動自在に支持され開口部に臨んで通過する光の一部を又は全てを遮光し得る遮光羽根と、遮光羽根を駆動する電磁駆動源と、遮光羽根を所定の位置に停止させるべく遮光羽根に当接し得る羽根ストッパとを備え、上記羽根ストッパは、遮光羽根の移動面に対して所定の角度をなす傾斜部及び傾斜部に続く垂直部を有する、ことを特徴としている。
この構成によれば、遮光羽根が電磁駆動源により駆動され羽根ストッパに当接して所定の位置に停止する際に、遮光羽根は、先ず羽根ストッパの傾斜部に当接し徐々に移動し垂直部に当接して停止する。これにより、衝撃力が緩和されて、衝突音が解消され、又、バウンド現象も防止される。
【０００７】
上記両構成において、遮光羽根は開口部を所定の口径に絞る絞り羽根であり、上記羽根ストッパは、開口部に望む絞り位置に絞り羽根を停止させる絞りストッパと、開口部から待避した非絞り位置に絞り羽根を停止させる非絞りストッパとを含む、構成を採用できる。
この構成によれば、絞り羽根が、絞りストッパ又は非絞りストッパに当接して絞り位置又は非絞り位置に停止する際に、衝撃力が緩和されて、衝突音が解消され、又、バウンド現象も防止されて、光量の調整が迅速に行なわれる。
【０００８】
上記両構成において、遮光羽根は開口部を開閉するシャッタ羽根であり、上記羽根ストッパは、開口部を全閉する位置にシャッタ羽根を停止させる全閉ストッパと、開口部を全開する位置にシャッタ羽根を停止させる全開ストッパとを含む、構成を採用できる。
この構成によれば、シャッタ羽根が、全閉ストッパ又は全開ストッパに当接して全閉位置又は全開位置に停止する際に、衝撃力が緩和されて、衝突音が解消され、又、バウンド現象も防止されて、再露光あるいは再閉が防止される。
【０００９】
上記両構成において、遮光羽根は、開口部を所定の口径に絞る絞り羽根と、開口部を開閉するシャッタ羽根とを含み、羽根ストッパは、開口部に望む絞り位置に絞り羽根を停止させる絞りストッパと、開口部から待避した非絞り位置に絞り羽根を停止させる非絞りストッパと、開口部を全閉する位置にシャッタ羽根を停止させる全閉ストッパと、開口部を全開する位置にシャッタ羽根を停止させる全開ストッパとを含む、構成を採用できる。
この構成によれば、絞り羽根及びシャッタ羽根が、絞りストッパ又は非絞りストッパに当接して絞り位置又は非絞り位置に停止する際及び全閉ストッパ又は全開ストッパに当接して全閉位置又は全開位置に停止する際に、衝撃力が緩和されて、衝突音が解消され、又、絞り羽根及びシャッタ羽根のバウンド現象も防止されて、光量の調整が迅速に行なわれると共に再露光あるいは再閉が防止される。
【００１０】
さらに、本発明のカメラ用遮光羽根駆動装置は、露光用の開口部を有する基板と、基板上の支軸回りに回動自在に支持され開口部に臨んで通過する光の一部を又は全てを遮光し得る遮光羽根と、遮光羽根を駆動する駆動ピンを有する電磁駆動源と、遮光羽根を所定の位置に停止させるべく駆動ピンに当接し得るピンストッパとを備え、上記ピンストッパは、緩衝部材により形成されている、ことを特徴としている。
この構成によれば、駆動ピンがピンストッパに当接して遮光羽根が所定の位置に停止する際に、駆動ピンは、ピンストッパとしての緩衝部材（例えば、緩衝ゴム、その他の粘弾性体等）に当接する。これにより、衝撃力が緩和されて、衝突音が防止され、又、バウンド現象も防止される。
【００１１】
上記構成において、遮光羽根は、開口部を所定の口径に絞る絞り羽根と、開口部を開閉するシャッタ羽根とを含み、電磁駆動源は、絞り羽根を駆動する駆動ピンを有する第１の電磁駆動源と、シャッタ羽根を駆動する駆動ピンを有する第２の電磁駆動源とを含む、構成を採用できる。
この構成によれば、絞り羽根及びシャッタ羽根がそれぞれ駆動されて所定の位置に停止する際に、それぞれの駆動ピンの衝撃力が緩和されて、衝突音が解消され、又、バウンド現象も防止される。
【００１２】
上記３つの発明に係る構成において、電磁駆動源への通電を制御する制御手段を有し、制御手段は、遮光羽根が停止する直前に、電磁駆動源に対して遮光羽根を走行させる方向とは逆の向きに通電を行なう構成、又は、遮光羽根が停止する位置に向かうに連れて電圧を徐々に低下させる構成、を採用できる。
これらの構成によれば、遮光羽根（絞り羽根あるいはシャッタ羽根）が所定の位置に停止する際に、衝撃力がより一層緩和されて、衝突音がより確実に防止され、又、バウンド現象もより確実に防止される。
【００１３】
【発明の実施の形態】
以下、本発明の実施の形態について、添付図面を参照しつつ説明する。
図１ないし図４は、本発明に係るカメラ用遮光羽根駆動装置の一実施形態としてカメラ用絞り装置を示すものである。このカメラ用絞り装置は、図示すように、露光用の開口部１０ａ，２０ａを有する基板としての地板１０及び押え板２０、開口部１０ａ，２０ａを通過する光の一部を遮光すなわち開口部１０ａ，２０ａを所定の口径に絞る遮光羽根としての絞り羽根３０、絞り羽根３０を駆動する電磁駆動源としての電磁アクチュエータ４０、電磁アクチュエータ４０への通電を制御する制御手段としてのＣＰＵ等を含む制御回路（不図示）等を備えている。
【００１４】
電磁アクチュエータ４０は、図１及び図２に示すように、Ｎ極及びＳ極に着磁されかつ所定の角度範囲を回動自在に支持されたロータ４１、励磁用のコイル４２、磁気回路を形成する円筒状のヨーク４３等により形成されている。ロータ４１には、回転中心から偏倚した位置において絞り羽根３０に連結される駆動ピン４１ａが一体的に形成されている。
【００１５】
地板１０には、図２、図３及び図４に示すように、露光用の開口部１０ａ、絞り羽根３０を支持する支軸１１、開口部１０ａに臨んで所定の口径に絞る絞り位置に絞り羽根３０を停止させる絞りストッパ１２、開口部１０ａから待機した非絞り位置に絞り羽根３０を停止させる非絞りストッパ１３、駆動ピン４１ａの移動を許容する貫通孔１４、貫通孔１４の両端に配置され、駆動ピン４１ａを絞り位置に対応する位置に停止させるピンストッパ１５及び非絞り位置に対応する位置に停止させるピンストッパ１６等が形成されている。また、地板１０と押え板２０との間には、図２に示すように、絞り羽根３０を回動自在に収納する羽根室Ｗが形成されている。
【００１６】
絞りストッパ１２及び非絞りストッパ１３は、地板１０の突起部に緩衝部材を接着することにより形成されている。また、ピンストッパ１５，１６は、貫通孔１４の壁面に緩衝部材を接着することにより形成されている。ここで、緩衝部材としては、ゴム材あるいはその他の粘弾性体等、衝撃力を緩和して、衝突音等の発生を防止できるものであればよい。
尚、この実施形態では、羽根ストッパとしての絞りストッパ１２及び非絞りストッパ１３と、ピンストッパ１５，１６との両方を緩衝部材により形成したが、羽根ストッパ又はピンストッパの一方のみを緩衝部材により形成してもよい。
【００１７】
絞り羽根３０は、図３及び図４に示すように、円孔３１、長孔３２、開口部１０ａ，２０ａを所定の口径に絞る絞り開口３３等により形成されている。そして、円孔３１には地板１０の支軸１１が挿入され、長孔３２には駆動ピン４１ａが挿入されて、絞り羽根３０は、駆動ピン４１ａ（ロータ４１）が所定の角度範囲を回動することで、図３に示す非絞り位置と図４に示す絞り位置との間を回動自在に支持されている。
【００１８】
次に、このカメラ用絞り装置が、動画撮影及び録音が可能なデジタルカメラに搭載された場合の動作について説明する。尚、デジタルカメラには撮像素子としてのＣＣＤ、撮影画像等を記録する記録部、メインスイッチ、撮影画像を表示するモニター等が含まれる。
【００１９】
カメラのメインスイッチがＯＮとされると、ＣＣＤがＯＮとなり、モニターに撮影画像が表示される。そして、ＣＣＤの画像信号に基づいて被写体の照度が検出され、制御回路は電磁アクチュエータ４０に対して光量調整のための駆動信号を発する。すなわち、開口部１０ａを通過する被写体光の光量が最適となるように、ロータ４１が適宜回転して、絞り羽根３０が、自動的に絞り位置又は非絞り位置に駆動される。
【００２０】
この駆動に際して、絞り羽根３０は、図３に示す非絞り位置から図４に示す絞り位置に移動する際に、絞りストッパ１２に当接して位置決めされ、一方、図４に示す絞り位置から図３に示す非絞り位置に移動する際に、非絞りストッパ１３に当接して位置決めされる。
【００２１】
このとき、絞りストッパ１２及び非絞りストッパ１３が緩衝部材により形成されているため、絞り羽根３０の衝撃力が緩和される。これにより、衝突音は発生せず、絞り羽根３０のバウンド現象も防止ないし抑制される。
したがって、録音機能が作動している場合には、衝突音がノイズとして録音されることはなく、所望の撮影及び録音を行なえる。
【００２２】
図５ないし図７は、本発明に係るカメラ用遮光羽根駆動装置の他の実施形態としてカメラ用シャッタ装置を示すものである。尚、前述の実施形態と同一の構成については、同一の符号を付してその説明を省略する。
このカメラ用シャッタ装置は、図示すように、露光用の開口部１０ａ，２０ａを有する地板１０´及び押え板２０´、開口部１０ａ，２０ａを通過する光の全てを遮光し得るすなわち開口部１０ａ，２０ａを開閉するシャッタ羽根５０、シャッタ羽根５０を駆動する電磁駆動源としての電磁アクチュエータ４０´、電磁アクチュエータ４０´への通電を制御する制御手段としてのＣＰＵ等を含む制御回路（不図示）等を備えている。
【００２３】
地板１０´には、図５ないし図７に示すように、露光用の開口部１０ａ、シャッタ羽根５０を支持する支軸１７ａ，１７ｂ、閉鎖位置にシャッタ羽根５０を停止させる全閉ストッパ１８（１８ａ，１８ｂ）、全開位置にシャッタ羽根５０を停止させる全開ストッパ１９（１９ａ，１９ｂ）、駆動ピン４１ａの移動を許容する貫通孔１４´、貫通孔１４´の両端に配置され、駆動ピン４１ａを全閉位置に対応する位置に停止させるピンストッパ１５´及び全開位置に対応する位置に停止させるピンストッパ１６´等が形成されている。また、地板１０´と押え板２０´との間には、図２に示す場合と同様に、シャッタ羽根５０を回動自在に収納する羽根室Ｗが形成されている。
【００２４】
全閉ストッパ１８及び全開ストッパ１９は、地板１０の突起部に緩衝部材を接着することにより形成されている。また、ピンストッパ１５´，１６´は、貫通孔１４´の壁面に緩衝部材を接着することにより形成されている。ここで、緩衝部材としては、ゴム材あるいはその他の粘弾性体等、衝撃力を緩和して、衝突音等の発生を防止できるものであればよい。
尚、この実施形態では、羽根ストッパとしての全閉ストッパ１８及び全開ストッパ１９と、ピンストッパ１５´，１６´との両方を緩衝部材により形成したが、羽根ストッパ又はピンストッパの一方のみを緩衝部材により形成してもよい。
【００２５】
シャッタ羽根５０は、図６及び図７に示すように、第１シャッタ羽根５１及び第２シャッタ羽根２２により構成されている。第１シャッタ羽根５１及び第２シャッタ羽根５２には、それぞれ円孔５１ａ，５２ａと長孔５１ｂ，５２ｂが形成されている。そして、円孔５１ａ，５２ａには地板１０´の支軸１７ａ，１７ｂが挿入され、長孔５１ｂ，５２ｂには駆動ピン４１ａが挿入されて、第１シャッタ羽根５１及び第２シャッタ羽根５２は、駆動ピン４１ａ（ロータ４１）が所定の角度範囲を回動することで、図６に示す全開位置と図７に示す全閉位置との間を回動自在に支持されている。
【００２６】
次に、このカメラ用シャッタ装置が、デジタルカメラに搭載された場合の動作について説明する。尚、デジタルカメラには、撮像素子としてのＣＣＤ、撮影画像等を記録する記録部、レリーズ動作を行なうレリーズボタン、メインスイッチ、撮影画像を表示するモニター等が含まれる。
先ず、カメラのメインスイッチがＯＮとされて撮影待ちの待機状態では、電磁アクチュエータ４０´（ロータ４１）には、非通電の状態で開き側に回転するような磁気的付勢力が作用し、図６に示すように、第１シャッタ羽根５１及び第２シャッタ羽根５２は全開ストッパ１９ａ，１９ｂに当接して、全開位置に保持されている。
【００２７】
この待機状態において、撮影者がレリーズ動作を行なうと、電磁アクチュエータ４０´が通電されて、第１シャッタ羽根５１及び第２シャッタ羽根５２は、全閉位置に向けて移動し、全閉ストッパ１８ａ，１８ｂに当接して停止する。
このとき、全閉ストッパ１８ａ，１８ｂが緩衝部材により形成されているため、第１シャッタ羽根５１及び第２シャッタ羽根５２の衝撃力が緩和される。これにより、衝突音は発生せず、シャッタ羽根５０のバウンド現象も防止ないし抑制され、再露光等が防止される。
上記シャッタ羽根５０の閉じ走行により、露光動作が行なわれ、ＣＣＤに撮影された撮影画像は種々の処理が行なわれて記憶部に取り込まれ、１回の撮影が完了する。
【００２８】
その後、電磁アクチュエータ４０´が逆向きに通電されると、第１シャッタ羽根５１及び第２シャッタ羽根５２は、全開位置に向けて移動し、全開ストッパ１９ａ，１９ｂに当接して停止する。
このとき、全開ストッパ１９ａ，１９ｂが緩衝部材により形成されているため、第１シャッタ羽根５１及び第２シャッタ羽根５２の衝撃力が緩和される。これにより、衝突音は発生せず、シャッタ羽根５０のバウンド現象も防止ないし抑制され、再閉等が防止される。
その後、電磁アクチュエータ４０´への通電が断たれ、ロータ４１の磁気的付勢力により、シャッタ羽根５０は全開位置に保持されて撮影待ちの状態となる。以後の撮影においては、上述のシーケンスが繰り返し行なわれる。
【００２９】
図８ないし図１１は、本発明に係るカメラ用遮光羽根駆動装置のさらに他の実施形態としてカメラ用絞り付シャッタ装置を示すものである。尚、前述の実施形態と同一の構成については、同一の符号を付してその説明を省略する。
このカメラ用絞り付シャッタ装置は、図示すように、露光用の開口部１０ａ，２０ａを有する基板としての地板１０´´及び押え板２０´´、開口部１０ａ，２０ａを通過する光の一部を遮光すなわち開口部１０ａ，２０ａを所定の口径に絞る遮光羽根としての絞り羽根３０、絞り羽根３０を駆動する第１の電磁駆動源としての電磁アクチュエータ４０、開口部１０ａ，２０ａを通過する光を全て遮光し得るすなわち開口部１０ａ，２０ａを開閉するシャッタ羽根５０、シャッタ羽根５０を駆動する第２の電磁駆動源としての電磁アクチュエータ４０´、電磁アクチュエータ４０，４０´への通電を制御する制御手段としてのＣＰＵ等を含む制御回路（不図示）等を備えている。
【００３０】
次に、このカメラ用絞り付シャッタ装置がデジタルカメラに搭載された場合の動作について説明する。尚、デジタルカメラには、撮像素子としてのＣＣＤ、撮影画像等を記録する記録部、レリーズ動作を行なうレリーズボタン、メインスイッチ、撮影画像を表示するモニター等が含まれる。
【００３１】
先ず、カメラのメインスイッチがＯＮとされて撮影待ちの待機状態では、電磁アクチュエータ４０´（ロータ４１）には、非通電の状態で開き側に回転するような磁気的付勢力が作用し、図９に示すように、第１シャッタ羽根５１及び第２シャッタ羽根５２は全開ストッパ１９ａ，１９ｂに当接して、全開位置に保持されている。
【００３２】
また、制御回路は、ＣＣＤの出力信号に基づいて絞り動作を行なうか否かの判断と露出時間等を算出する。そして、絞り動作を行なわないと判断した場合は、非通電の状態で電磁アクチュエータ４０（ロータ４１）の磁気的付勢力により、絞り羽根３０は、図９に示すように、非絞りストッパ１３に当接して非絞り位置に保持される。
一方、絞り動作を行なうと判断した場合は、電磁アクチュエータ４０が通電されて、絞り羽根３０は、図１０に示す絞り位置に向けて移動し、絞りストッパ１２に当接して停止する。さらに、撮影環境の照度変化等により、絞りを行なわないと判断した場合は、電磁アクチュエータ４０が逆向きに通電されて、絞り羽根３０は、図９に示す非絞り位置に向けて移動し、非絞りストッパ１３に当接して停止する。
【００３３】
このとき、絞りストッパ１２及び非絞りストッパ１３が緩衝部材により形成されているため、絞り羽根３０の衝撃力が緩和される。これにより、衝突音は発生せず、絞り羽根３０のバウンド現象も防止ないし抑制される。
したがって、撮影者は、衝突音を聞くことなく所望の撮影を行なえ、又、録音機能が作動している場合には、衝突音がノイズとして録音されることはなく、所望の撮影及び録音を行なえる。
【００３４】
この待機状態において、撮影者がレリーズ動作を行なうと、電磁アクチュエータ４０´が通電されて、第１シャッタ羽根５１及び第２シャッタ羽根５２は、図１１に示す全閉位置に向けて移動し、全閉ストッパ１８ａ，１８ｂに当接して停止する。
このとき、全閉ストッパ１８ａ，１８ｂが緩衝部材により形成されているため、第１シャッタ羽根５１及び第２シャッタ羽根５２の衝撃力が緩和される。これにより、シャッタ羽根５０のバウンド現象も防止ないし抑制され、再露光等が防止される。上記シャッタ羽根５０の閉じ走行により、露光動作が行なわれ、ＣＣＤに撮影された撮影画像は種々の処理が行なわれて記憶部に取り込まれ、１回の撮影が完了する。
【００３５】
その後、電磁アクチュエータ４０´が逆向きに通電されると、第１シャッタ羽根５１及び第２シャッタ羽根５２は、図９又は図１０に示す全開位置に向けて移動し、全開ストッパ１９ａ，１９ｂに当接して停止する。
このとき、全開ストッパ１９ａ，１９ｂが緩衝部材により形成されているため、第１シャッタ羽根５１及び第２シャッタ羽根５２の衝撃力が緩和される。これにより、シャッタ羽根５０のバウンド現象も防止ないし抑制され、再閉等が防止される。その後、電磁アクチュエータ４０´への通電が断たれ、ロータ４１の磁気的付勢力により、シャッタ羽根５０は全開位置に保持されて撮影待ちの状態となる。以後の撮影においては、上述のシーケンスが繰り返し行なわれる。
【００３６】
図１２は、本発明に係るカメラ用遮光羽根駆動装置のさらに他の実施形態を示すものであり、前述の実施形態における絞りストッパ１２、非絞りストッパ１３、全閉ストッパ１８、全開ストッパ１９を緩衝部材により形成するのに替えて、硬いプラスチック材料により地板１０，１０´，１０´´と一体的にかつ形状を変更して形状されたものである。
【００３７】
このカメラ用遮光羽根駆動装置（カメラ用絞り装置、カメラ用シャッタ装置、カメラ用絞り付シャッタ装置）において、遮光羽根（絞り羽根３０、シャッタ羽根５０）を所定の位置（絞り位置、非絞り位置、全閉位置、全開位置）に停止させる羽根ストッパ１００は、図１２（ａ）に示すように、遮光羽根（絞り羽根３０、シャッタ羽根５０）の移動面に対して所定の角度をなす傾斜部１０１、この傾斜部１０１に続いて形成された垂直部１０２等により形成されている。
【００３８】
この羽根ストッパ１００によれば、遮光羽根（絞り羽根３０、シャッタ羽根５０）が駆動されて所定の位置に停止する際に、図１２（ｂ）に示すように、先ず傾斜部１０１に当接しつつ徐々に移動して、図１２（ｃ）に示すように、最終的に垂直部１０２に当接して停止する。
すなわち、傾斜部１０１への当接及び摺動により衝撃力が緩和されて、衝突音が発生せず、又、バウンド現象も防止される。
【００３９】
図１３（ａ），（ｂ）は、本発明に係るカメラ用遮光羽根駆動装置のさらに他の実施形態を示すものであり、前述の実施形態における電磁アクチュエータ４０，４０´に対して、制御回路が行なう通電制御を変更したものである。
このカメラ用遮光羽根駆動装置（カメラ用絞り装置、カメラ用シャッタ装置、カメラ用絞り対シャッタ装置）において、遮光羽根（絞り羽根３０、シャッタ羽根５０）を所定の位置（例えば、開口部１０ａ，２０ａから待避する位置としての非絞り位置と全閉位置、開口部１０ａ，２０ａに臨む位置としての絞り位置と全開位置）に走行させて停止させる場合に、図１３（ａ）に示す通電制御では、電磁アクチュエータ４０，４０´に対して、遮光羽根（絞り羽根３０、シャッタ羽根５０）が羽根ストッパに当接して停止する直前に、遮光羽根を走行させる方向とは逆向きの通電を行なうものであり、図１３（ｂ）に示す通電制御では、遮光羽根（絞り羽根３０、シャッタ羽根５０）が羽根ストッパに当接して停止する位置に向かうに連れて、電圧を徐々に小さくする通電を行なうものである。
【００４０】
これらの通電制御によれば、遮光羽根（絞り羽根３０、シャッタ羽根５０）が所定の位置（絞り位置、非絞り位置、全閉位置、全開位置）に停止する際に、衝撃力がより一層緩和されて、衝突音がより確実に防止され、又、バウンド現象もより確実に防止される。
【００４１】
上記実施形態においては、絞り羽根３０として、一枚の羽根を示したが、これに限定されるものではなく、複数枚の絞り羽根をもつ構成において、本発明の構成を採用してもよい。また、シャッタ羽根５０として、一対のシャッタ羽根５１，５２により構成されるものを示したが、これに限定されるものではなく、１枚のシャッタ羽根からなる構成において、本発明の構成を採用してもよい。
【００４２】
上記実施形態においては、羽根ストッパ１２，１３，１８，１９を緩衝部材により形成する構成と、ピンストッパ１５，１６、１５´，１６´を緩衝部材により形成する構成とを兼ね備える構成を示したが、これに限定されるものではなく、羽根ストッパ又はピンストッパの一方のみを緩衝部材により形成する場合も、本発明の範疇に含まれるものであり、同様の効果が得られる。
【００４３】
【発明の効果】
以上述べたように、本発明のカメラ用遮光羽根駆動装置によれば、露光用の開口部に臨んで通過する光の一部を又は全てを遮光し得る遮光羽根（絞り羽根、シャッタ羽根）を所定の位置に停止させるにあたり、羽根ストッパを緩衝部材で形成することにより、又は、羽根ストッパに傾斜部及び垂直部を設けることにより、遮光羽根が電磁駆動源により駆動され羽根ストッパに当接して所定の位置に停止する際に、衝撃力が緩和されて、衝突音が防止され、バウンド現象も防止される。
また、本発明のカメラ用遮光羽根駆動装置によれば、露光用の開口部に臨んで通過する光の一部を又は全てを遮光し得る遮光羽根を電磁駆動源の駆動ピンで駆動する際に、駆動ピンが当接するピンストッパを緩衝部材で形成することにより、遮光羽根が電磁駆動源により駆動されて所定の位置に停止する際に、駆動ピンの衝撃力が緩和されて、衝突音が防止され、バウンド現象も防止される。
【図面の簡単な説明】
【図１】本発明に係るカメラ用遮光羽根駆動装置の一実施形態としてカメラ用絞り装置を示す外観平面図である。
【図２】図１に示すカメラ用絞り装置の展開断面図である。
【図３】絞り羽根が開口部から待避した非絞り位置にある状態を示す平面図である。
【図４】絞り羽根が開口部に臨む絞り位置にある状態を示す平面図である。
【図５】本発明に係るカメラ用遮光羽根駆動装置の他の実施形態としてカメラ用シャッタ装置を示す外観平面図である。
【図６】シャッタ羽根が開口部から待避した全開位置にある状態を示す平面図である。
【図７】シャッタ羽根が開口部に臨む全閉位置にある状態を示す平面図である。
【図８】本発明に係るカメラ用遮光羽根駆動装置のさらに他の実施形態としてカメラ用絞り付シャッタ装置を示す外観平面図である。
【図９】絞り羽根が非絞り位置にかつシャッタ羽根が全開位置にある状態を示す平面図である。
【図１０】絞り羽根が絞り位置にかつシャッタ羽根が全開位置にある状態を示す平面図である。
【図１１】絞り羽根が絞り位置にかつシャッタ羽根が全閉位置にある状態を示す平面図である。
【図１２】本発明に係るカメラ用遮光羽根駆動装置のさらに他の実施形態を示すものであり、（ａ），（ｂ），（ｃ）は羽根ストッパと遮光羽根との関係を示す状態図である。
【図１３】（ａ），（ｂ）は本発明に係るカメラ用遮光羽根駆動装置における通電制御を示すタイムチャートである。
【符号の説明】
１０，１０´，１０´´　地板（基板）
１０ａ　開口部
１１，１７ａ，１７ｂ　支軸
１２　絞りストッパ（羽根ストッパ）
１３　非絞りストッパ（羽根ストッパ）
１４，１４´　貫通孔
１５，１５´，１６，１６´　ピンストッパ
１８（１８ａ，１８ｂ）　全開ストッパ（羽根ストッパ）
１９（１９ａ，１９ｂ）　全閉ストッパ（羽根ストッパ）
２０，２０´，２０´´　押え板（基板）
３０　絞り羽根（遮光羽根）
４０，４０´　電磁アクチュエータ（電磁駆動源）
４１　ロータ
４１ａ　駆動ピン
５０　シャッタ羽根（遮光羽根）
５１　第１シャッタ羽根
５２　第２シャッタ羽根
１００　羽根ストッパ
１０１　傾斜部
１０２　垂直部
【図１】
2004061897.tif 000003
【図２】
2004061897.tif 000004
【図３】
2004061897.tif 000005
【図４】
2004061897.tif 000006
【図５】
2004061897.tif 000007
【図６】
2004061897.tif 000008
【図７】
2004061897.tif 000009
【図８】
2004061897.tif 000010
【図９】
2004061897.tif 000011
【図１０】
2004061897.tif 000012
【図１１】
2004061897.tif 000013
【図１２】
2004061897.tif 000014
【図１３】
2004061897.tif 000015